【手続補正書】
【提出日】平成19年5月15日(2007.5.15)
【手続補正１】
【補正対象書類名】明細書
【補正対象項目名】発明の名称
【補正方法】変更
【補正の内容】
【発明の名称】放送受信システム、放送受信機および制御機
【手続補正２】
【補正対象書類名】明細書
【補正対象項目名】特許請求の範囲
【補正方法】変更
【補正の内容】
【特許請求の範囲】
【請求項１】  複数チャンネルのそれぞれに対応した番組情報のための信号からなる放送信号を受信する放送受信システムであって、
与えられる指定チャンネルの情報に基づいて、該指定チャンネルに対応の信号を、前記放送信号から選択して導出する信号選択手段と、受信した所定信号に基づいて、選択が指定されている所望チャンネルの情報を特定処理して前記指定チャンネルの情報として前記信号選択手段に与える処理手段と、前記信号選択手段により導出された信号に基づく番組情報を出力する出力手段とを有した放送受信機と、
前記複数チャンネルを所定順送りして前記所望チャンネルを指定するために操作されるチャンネル指定部と、前記出力手段にて出力されている前記指定チャンネルに対応の信号の、前記信号選択手段による選択の中断または前記中断後の選択の再開を指定するために操作される中断再開指定部とを有した入力手段と、前記入力手段における指定内容を前記所定信号として前記放送受信機に送信する通信手段とを有した制御機とを備えた、放送受信システム。
【請求項２】  複数チャンネルのそれぞれに対応した番組情報のための信号からなる放送信号を受信する放送受信システムであって、
受信した指定チャンネルの情報に基づいて、該指定チャンネルに対応の信号を、前記放送信号から選択して導出する信号選択手段と、前記信号選択手段により導出された信号に基づく情報を出力する出力手段とを有した放送受信機と、
前記複数チャンネルを所定順送りして所望チャンネルを指定するために操作されるチャンネル指定部と、前記出力手段にて出力されている前記指定チャンネルに対応の信号の、前記信号選択手段による選択の中断または前記中断後の選択の再開を指定するために操作される中断再開指定部とを有した入力手段と、前記入力手段における指定内容に基づいて、選択が指定されている前記所望チャンネルの情報を特定処理して前記指定チャンネルの情報として前記放送受信機に送信する処理手段とを有した制御機とを備えた、放送受信システム。
【請求項３】  複数チャンネルのそれぞれに対応した番組情報のための信号からなる放送信号を受信する放送受信システムであって、
与えられる指定チャンネルの情報に基づいて、該指定チャンネルに対応の信号を、前記放送信号から選択して導出する信号選択手段と、受信した所定信号に基づいて、前記複数チャンネルのそれぞれを、前記選択の要求の程度の大きさに従って順送りしながら前記指定チャンネルの情報として前記信号選択手段に与える処理手段と、前記信号選択手段により導出された信号に基づく前記番組情報を出力する出力手段とを有した放送受信機と、
前記複数チャンネルを前記順送りして指定するために操作される順送り指定部と、前記出力手段にて出力されている信号に対応の前記指定チャンネルの、前記選択の要求の程度を指定するために操作される選択要求指定部とを有した入力手段と、前記入力手段における指定内容を前記所定信号として前記放送受信機に送信する通信手段とを有した制御機とを備えた、放送受信システム。
【請求項４】  複数チャンネルのそれぞれに対応した番組情報のための信号からなる放送信号を受信する放送受信システムであって、
受信された指定チャンネルの情報に基づいて、該指定チャンネルに対応の信号を、前記放送信号から選択して導出する信号選択手段と、前記信号選択手段により導出された信号に基づく前記番組情報を出力する出力手段とを有した放送受信機と、
前記複数チャンネルを順送りして指定するために操作される順送り指定部と、前記出力手段にて出力されている信号に対応の前記指定チャンネルの、前記選択の要求の程度を指定するために操作される選択要求指定部とを有した入力手段と、前記入力手段における指定内容に基づいて、前記複数チャンネルのそれぞれを、前記選択の要求の程度の大きさに従って順送りしながら前記指定チャンネルの情報として前記放送受信機に送信する処理手段とを有した制御機とを備えた、放送受信システム。
【請求項５】  複数チャンネルのそれぞれに対応した番組情報のための信号からなる放送信号を受信する放送受信機であって、
与えられる指定チャンネルの情報に基づいて、該指定チャンネルに対応の信号を、前記放送信号から選択して導出する信号選択手段と、
受信した所定信号に基づいて、選択が指定されている所望チャンネルの情報を特定処理して前記指定チャンネルの情報として前記信号選択手段に与える処理手段と、
前記信号選択手段により導出された信号に基づく番組情報を出力する出力手段とを備え、
前記所定信号は、
前記複数チャンネルの所定順送り操作による前記所望チャンネルの指定と、
前記出力手段にて出力されている前記指定チャンネルに対応の信号の、前記信号選択手段による選択の中断または前記中断後の選択の再開の指定とを含む指定内容を指す、放送受信機。
【請求項６】  前記処理手段は、
前記複数チャンネルのそれぞれについて、前記所定信号に基づき、前記選択の中断が指定されているか否かを示す選択情報が書込まれて記憶される記憶手段を含み、
前記特定処理は、前記所定順送りして指定された前記所望チャンネルに対応の前記記憶手段中の前記選択情報を参照して行なわれる、請求項５に記載の放送受信機。
【請求項７】  前記特定処理において、
前記所定順送りして指定された前記所望チャンネルに対応の前記記憶手段中の前記選択情報が、前記選択の中断を指示している場合には、前記所定順送りに従う次位のチャンネルが前記所望チャンネルに指定される、請求項６に記載の放送受信機。
【請求項８】  前記処理手段は、前記出力手段にて、前記指定チャンネルに対応の前記番組情報が出力され始めたときから時間を計時するタイマを有し、
前記タイマが所定期間を計時したことに応じて、前記記憶手段の前記複数チャンネルに対応の前記選択情報を、前記選択の指定を示すように設定する、請求項６または７に記載の放送受信機。
【請求項９】  前記所定信号は、前記記憶手段の前記複数チャンネルに対応の前記選択情報に、前記選択の指定を設定するために操作される初期設定部を更に有して、
前記処理手段は、前記初期設定部が操作されたことに応じて、前記記憶手段の複数チャンネルに対応の前記選択情報を、前記選択の指定を示すように設定する、請求項６から８のいずれかに記載の放送受信機。
【請求項１０】  複数チャンネルのそれぞれに対応した番組情報のための信号からなる放送信号を受信する放送受信機を遠隔操作する制御機であって、
前記放送受信機は、
受信した指定チャンネルの情報に基づいて、該指定チャンネルに対応の信号を、前記放送信号から選択して導出する信号選択手段と、
前記信号選択手段により導出された信号に基づく情報を出力する出力手段とを備え、
前記制御機は、
前記複数チャンネルを所定順送りして所望チャンネルを指定するために操作されるチャンネル指定部と、前記出力手段にて出力されている前記指定チャンネルに対応の信号の、前記信号選択手段による選択の中断または前記中断後の選択の再開を指定するために操作される中断再開指定部とを有した入力手段と、
前記入力手段における指定内容に基づいて、選択が指定されている前記所望チャンネルの情報を特定処理して前記指定チャンネルの情報として前記放送受信機に送信する処理手段とを備える、制御機。
【請求項１１】  前記処理手段は、
前記複数チャンネルのそれぞれについて、前記所定信号に基づき、前記選択の中断が指定されているか否かを示す選択情報が書込まれて記憶される記憶手段を有し、
前記特定処理は、前記所定順送りして指定された前記所望チャンネルに対応の前記記憶手段中の前記選択情報を参照して行なわれる、請求項１０に記載の制御機。
【請求項１２】  前記特定処理において、
前記所定順送りして指定された前記所望チャンネルに対応の前記記憶手段中の前記選択情報が、前記選択の中断を指示している場合には、前記所定順送りに従う次位のチャンネルが前記所望チャンネルに指定される、請求項１１に記載の制御機。
【請求項１３】  前記処理手段は、前記出力手段にて、前記指定チャンネルに対応の前記番組情報が出力され始めたときから時間を計時するタイマを有し、
前記タイマが所定期間を計時したことに応じて、前記記憶手段の前記複数チャンネルに対応の前記選択情報を、前記選択の指定を示すように設定する、請求項１１または１２に記載の制御機。
【請求項１４】  前記入力手段は、前記記憶手段の前記複数チャンネルに対応の前記選択情報に、前記選択の指定を設定するために操作される初期設定部を更に有し、
前記処理手段は、前記初期設定部が操作されたことに応じて、前記記憶手段の複数チャンネルに対応の前記選択情報を、前記選択の指定を示すように設定する、請求項１１から１３のいずれかに記載の制御機。
【請求項１５】  複数チャンネルのそれぞれに対応した番組情報のための信号からなる放送信号を受信する放送受信機であって、
与えられる指定チャンネルの情報に基づいて、該指定チャンネルに対応の信号を、前記放送信号から選択して導出する信号選択手段と、
受信した所定信号に基づいて、前記複数チャンネルのそれぞれを、前記選択の要求の程度の大きさに従って順送りしながら前記指定チャンネルの情報として前記信号選択手段に与える処理手段と、
前記信号選択手段により導出された信号に基づく前記番組情報を出力する出力手段とを備え、
前記所定信号は、
前記複数チャンネルの前記順送り操作によるチャンネルの指定と、前記出力手段にて出力されている信号に対応の前記指定チャンネルの、前記選択の要求の程度を指定するための操作による選択要求指定とを含む指定内容を指す、放送受信機。
【請求項１６】  前記処理手段は、
前記複数チャンネルのそれぞれを、前記所定信号によって指定される対応の前記選択の要求の程度に基づく順番で並べた順列テーブルを有し、
前記複数のチャンネルの前記順送りは、前記順列テーブルの内容に従い行なわれる、請求項１５に記載の放送受信機。
【請求項１７】  前記処理手段は、前記出力手段にて、前記指定チャンネルに対応の前記番組情報が出力され始めたときから時間を計時するタイマを有し、
前記タイマが所定期間を計時したことに応じて、前記順列テーブルの前記複数チャンネルに対応の前記選択の要求の程度を所定初期値に設定する、請求項１６に記載の放送受信機。
【請求項１８】  前記処理手段は、前記指定チャンネルに対応の前記番組情報の放送が終了して前記出力手段により、次の前記番組情報の出力に移行したことに応じて、前記順列テーブルの前記指定チャンネルに対応の前記選択の要求の程度を所定初期値に設定する、請求項１６または１７に記載の放送受信機。
【請求項１９】  前記入力手段は、前記順列テーブルの前記複数チャンネルに対応の前記選択の要求の程度を所定初期値に設定することを指定するために操作される初期設定部を更に有し、
前記処理手段は、前記初期設定部が操作されたとき受信する前記所定信号に基づいて、前記順列テーブルの前記複数チャンネルに対応の前記選択の要求の程度を前記初期値に設定する、請求項１６から１８のいずれかに記載の放送受信機。
【請求項２０】  複数チャンネルのそれぞれに対応した番組情報のための信号からなる放送信号を受信する放送受信機を遠隔操作する制御機であって、
前記放送受信機は、
受信された指定チャンネルの情報に基づいて、該指定チャンネルに対応の信号を、前記放送信号から選択して導出する信号選択手段と、
前記信号選択手段により導出された信号に基づく前記番組情報を出力する出力手段とを備え、
前記制御機は、
前記複数チャンネルを順送りして指定するために操作される順送り指定部と、前記出力手段にて出力されている信号に対応の前記指定チャンネルの、前記選択の要求の程度を指定するために操作される選択要求指定部とを含む入力手段と、
前記入力手段における指定内容に基づいて、前記複数チャンネルのそれぞれを、前記選択の要求の程度の大きさに従って順送りしながら前記指定チャンネルの情報として前記放送受信機に送信する処理手段とを備える、制御機。
【請求項２１】  前記処理手段は、
前記複数チャンネルのそれぞれを、前記所定信号によって指定される対応の前記選択の要求の程度に基づく順番で並べた順列テーブルを有し、
前記複数のチャンネルの前記順送りは、前記順列テーブルの内容に従い行なわれる、請求項２０に記載の制御機。
【請求項２２】  前記処理手段は、前記出力手段にて、前記指定チャンネルに対応の前記番組情報が出力され始めたときから時間を計時するタイマを有し、
前記タイマが所定期間を計時したことに応じて、前記順列テーブルの前記複数チャンネルに対応の前記選択の要求の程度を所定初期値に設定する、請求項２１に記載の制御機。
【請求項２３】  前記処理手段は、前記指定チャンネルに対応の前記番組情報の放送が終了して前記出力手段により、次の前記番組情報の出力に移行したことに応じて、前記順列テーブルの前記指定チャンネルに対応の前記選択の要求の程度を所定初期値に設定する、請求項２１または２２に記載の制御機。
【請求項２４】  前記入力手段は、前記順列テーブルの前記複数チャンネルに対応の前記選択の要求の程度を所定初期値に設定することを指定するために操作される初期設定部を更に含み、
前記処理手段は、前記初期設定部が操作されたとき受信する前記所定信号に基づいて、前記順列テーブルの前記複数チャンネルに対応の前記選択の要求の程度を前記初期値に設定する、請求項２１から２３のいずれかに記載の制御機。
【手続補正３】
【補正対象書類名】明細書
【補正対象項目名】００７１
【補正方法】変更
【補正の内容】
【００７１】
また、時間帯が変わってすべてのチャンネル番号ＣＨから再度、選局を行ないたい場合は、記憶消去ボタン２０４を押下するだけで、すべてのチャンネル番号ＣＨに対して再度ザッピングができるようになる。